(57)【要約】【課題】張材上の皺や襞をカバー部材によって覆い隠しつつ、荷重支持体の変形許容度を可及的に高めることのできる椅子を提供する。【解決手段】基体の表面側にクッション材を配置し、クッション材の外側面と基体の外周縁部を張材１３によって覆う。張材１３の周縁部を基体の裏面側に折り返し、その周縁部１３ａを基体に固定する。基体の裏面側にカバー部材１４を配置し、カバー部材１４によって張材１３の折り返し部分を覆い隠す。カバー部材１４には、基体の角部を覆った張材１３の角部被覆部１３ｂ方向に中央側から延出して、角部被覆部１３ｂの裏面側を覆う張り出し部２０と、隣接する張り出し部２０の間にあって、隣接する張り出し部２０を結ぶ仮想直線Ｌ１に対して中央領域側に向かって凹状に窪む凹部２１と、を設ける。【選択図】図２
2015077338.tif 000002
【特許請求の範囲】
【請求項１】
骨格部を成す略矩形状の基体と、
該基体の表面側に配置されるクッション材と、
少なくとも前記クッション材の外側面と前記基体の外周縁部にかかる部分を覆い、周縁部が前記基体の外周縁部の裏側に折り返されて前記基体に支持される張材と、
前記基体の裏面側に配置され、少なくとも前記張材の折り返し部分を覆うカバー部材と、を有する荷重支持体を備えた椅子において、
前記カバー部材は、
前記基体の角部を覆った前記張材の角部被覆部方向に中央側から延出して、前記角部被覆部の裏面側を覆う張り出し部と、
隣接する前記張り出し部の間にあって、隣接する前記張り出し部を結ぶ仮想直線に対して中央領域側に向かって凹状に窪む凹部と、を備えていることを特徴とする椅子。
【請求項２】
前記基体は、背凭れ部の背面支持部材であり、前記凹部は、前記カバー部材上の前記背面支持部材の左右の側辺に対応する領域に設けられていることを特徴とする請求項１に記載の椅子。
【請求項３】
前記背面支持部材の上端部と下端部の間には、側面視で前方に凸状に湾曲若しくは屈曲する膨出領域が設けられ、前記凹部は、前記カバー部材上の前記背面支持部材の前記膨出領域に対応する部位に形成されていることを特徴とする請求項２に記載の椅子。
【請求項４】
前記背面支持部材の前記膨出領域と前記カバー部材の間には、ランバーサポート装置が設けられ、前記カバー部材の凹部には、前記ランバーサポート装置の一部が配置されていることを特徴とする請求項３に記載の椅子。
【請求項５】
前記基体は、背凭れ部の背面支持部材であり、前記凹部は、前記カバー部材上の前記背面支持部材の上辺部に対応する領域に設けられていることを特徴とする請求項１に記載の椅子。
【請求項６】
前記基体は、背凭れ部の背面支持部材であり、前記凹部は、前記カバー部材上の前記背面支持部材の左右の側辺に対応する領域と前記背面支持部材の上辺部に対応する領域とに設けられていることを特徴とする請求項１に記載の椅子。
【請求項７】
前記基体における前記カバー部材の凹部に対応する部位には、剛性を高めるための補強部が設けられていることを特徴とする請求項１〜６のいずれか１項に記載の椅子。
【発明の詳細な説明】
【技術分野】
【０００１】
この発明は、背凭れ部や座体等の荷重支持体の構造を改良した椅子に関するものである。
【背景技術】
【０００２】
事務用等として用いられる椅子の背凭れ部や座体は、通常、骨格部を成す基体の表面側にウレタン等のクッション材が配置され、クッション材の外側面と基体の外周縁部にかかる部分がシート状の張材によって覆われている。
【０００３】
この種の椅子の張材の取り付けに際しては、汚損時等に張材を交換し易いことや、張材の全域に安定した張力を付与し易いことから、張材の周縁部を基体の裏面側に折り返した後に締付紐条を用いて窄め、それによって張材を基体に固定する手法が多く用いられている（例えば、特許文献１，２参照）。
【０００４】
ところで、張材の周縁部が上述のようにして基体の裏面側で締め込まれる椅子においては、張材の周縁部の各部、特に、基体の角部に対応する領域に多くの皺や不要な襞が生じ易くなる。
このため、特許文献２に記載の椅子のように、基体の裏面側にカバー部材を配置して、張材の周縁部の締付部分をカバー部材によって覆うものは、外観体裁を改善する観点から望ましい。
【先行技術文献】
【特許文献】
【０００５】
【特許文献１】特許第４６２０９５０号公報
【特許文献２】特許第５２３０９２９号公報
【発明の概要】
【発明が解決しようとする課題】
【０００６】
しかしながら、背凭れ部等の椅子の荷重支持体は、着座者の身体の細かな動きに追従した様々な方向への弾性変形が要求される。特許文献２に記載の椅子は、基体の裏面側にカバー部材が配置されることから、このような要求を考えた場合には不利となり易い。即ち、特許文献２に記載の椅子は、荷重支持体の面方向のほぼ全域が基体とカバー部材による二重構造とされているため、着座者からの局部的な荷重入力に対し弾性変形が阻害され易い。したがって、引用文献２に記載の椅子は、外観体裁を改善する観点においては多大な効果があるものの、座り心地の観点からは改善の余地が残っている。
【０００７】
そこでこの発明は、張材上の皺や襞をカバー部材によって覆い隠しつつ、荷重支持体の変形許容度を可及的に高めることのできる椅子を提供しようとするものである。
【課題を解決するための手段】
【０００８】
この発明に係る椅子では、上記課題を解決するために以下の構成を採用した。
骨格部を成す略矩形状の基体と、該基体の表面側に配置されるクッション材と、少なくとも前記クッション材の外側面と前記基体の外周縁部にかかる部分を覆い、周縁部が前記基体の外周縁部の裏側に折り返されて前記基体に支持される張材と、前記基体の裏面側に配置され、少なくとも前記張材の折り返し部分を覆うカバー部材と、を有する荷重支持体を備えた椅子において、前記カバー部材は、前記基体の角部を覆った前記張材の角部被覆部方向に中央側から延出して、前記角部被覆部の裏面側を覆う張り出し部と、隣接する前記張り出し部の間にあって、隣接する前記張り出し部を結ぶ仮想直線に対して中央領域側に向かって凹状に窪む凹部と、を備えていることを特徴とするものである。
この発明の場合、基体の角部を覆った張材の角部被覆部の裏面側がカバー部材の張り出し部によって覆われ、張材の角部被覆部の皺や襞がカバー部材によって確実に覆い隠されるようになる。また、カバー部材には隣接する張り出し部の間に位置して中央領域側に向かって窪む凹部が設けられているため、荷重支持体のその凹部に対応する領域では、基体の背面側にカバー部材の存在しない一重構造となる。このため、荷重支持体の凹部に対応する領域では、着座者側からの荷重入力に対して弾性変形し易くなる。
【０００９】
前記基体が背凭れ部の背面支持部材である場合には、前記凹部は、前記カバー部材上の前記背面支持部材の左右の側辺に対応する領域に設けられることが望ましい。
この場合、着座者の背中が様々な方向に動くことで変形荷重が作用し易い背面支持部材の側辺に凹部が設けられているため、着座者の背中の動きに背凭れ部を柔軟に追従させることが可能になる。
【００１０】
前記背面支持部材の上端部と下端部の間に、側面視で前方に凸状に湾曲若しくは屈曲する膨出領域が設けられている場合には、前記凹部は、前記カバー部材上の前記背面支持部材の前記膨出領域に対応する部位に形成されることが望ましい。
この場合、背面支持部材の膨出領域は、他の部位よりも早いタイミングで着座者の背部から変形荷重を受け易いため、この部位に凹部が存在することにより、この部位での背凭れ部の追従変形が容易になって、着座者の座り心地が向上する。特に、膨出領域が着座者の腰部付近を支持する高さ位置にあるときには、凹部によって着座者の腰部や腹部の側面の圧迫感が小さくなることから、座り心地がより良好となる。
【００１１】
前記背面支持部材の前記膨出領域と前記カバー部材の間には、ランバーサポート装置が設けられ、前記カバー部材の凹部には、前記ランバーサポート装置の一部が配置されるようにしても良い。
この場合、ランバーサポート装置の操作部等が背面支持部材の側辺の背面側に配置し易くなるとともに、ランバーサポート装置の配置される部位における背面支持部材の側端部の剛性が過剰に高まるのを抑制することができる。
【００１２】
前記基体が背凭れ部の背面支持部材である場合には、前記凹部は、前記カバー部材上の前記背面支持部材の上辺部に対応する領域に設けられるようにしても良い。
この場合、着座者が後方に反り返ることで変形荷重が作用し易い背面支持部材の上辺部に凹部が設けられているため、着座者の反り返り動作に背凭れ部を柔軟に追従させることが可能になる。
【００１３】
前記基体が背凭れ部の背面支持部材である場合には、前記凹部は、前記カバー部材上の前記背面支持部材の左右の側辺に対応する領域と前記背面支持部材の上辺部に対応する領域とに設けられるようにしても良い。
この場合、着座者の背中が様々な方向に動くことで変形荷重が作用し易い背面支持部材の側辺と、着座者が後方に反り返ることで変形荷重が作用し易い背面支持部材の上辺部とに凹部が設けられているため、着座者の様々な動作に背凭れ部を柔軟に追従させることが可能になる。
【００１４】
前記基体における前記カバー部材の凹部に対応する部位には、剛性を高めるための補強部が設けられるようにしても良い。
この場合、裏面側がカバー部材によって支持されない基体上の凹部に対応する部分の急激な剛性低下が補強部材によって抑制される。
【発明の効果】
【００１５】
この発明によれば、基体の裏面側に配置されるカバー部材が、張材の角部被覆部の裏面側を覆う張り出し部と、隣接する張り出し部の間にあって隣接する張り出し部を結ぶ仮想直線に対して中央領域側に向かって凹状に窪む凹部と、を備えた構成とされているため、皺や襞の生じやすい張材の角部被覆部をカバー部材の張り出し部によって確実に覆い隠すことができるとともに、荷重支持体上のカバー部材の凹部に対応する領域の弾性変形を容易にすることができる。したがって、張材の皺や襞をカバー部材によって覆い隠しつつ、荷重支持体の変形許容度を可及的に高めることができる。
【図面の簡単な説明】
【００１６】
【図１】この発明の第１の実施形態の椅子の側面図である。
【図２】この発明の第１の実施形態の椅子の背面図である。
【図３】この発明の第１の実施形態の背板の背面図である。
【図４】この発明の第１の実施形態の背凭れ本体のカバー部材を取り去った背面図である。
【図５】この発明の第１の実施形態の背凭れ本体の図４のＶ−Ｖ断面に対応する断面図である。
【図６】この発明の第２の実施形態の椅子の背面図である。
【図７】この発明の第２の実施形態の椅子の図６のＶＩＩ−ＶＩＩ断面に対応する断面図(Ａ)と、断面図(Ａ)の右側面から見た部品の側面図（Ｂ）を併せて記載した図である。
【図８】この発明の第３の実施形態の椅子の背面図である。
【発明を実施するための形態】
【００１７】
以下、この発明の実施形態を図面に基づいて説明する。以下で説明する各実施形態においては、共通部分に同一符号を付して重複する説明を省略するものとする。
なお、以下の説明においては、椅子に正規姿勢で着座した人の正面が向く図中矢印ＦＲの指す向きを「前」と呼び、それと逆側の向きを「後」と呼ぶものとする。また、「上」，「下」と「左」，「右」については、椅子に正規姿勢で着座した人の上方の図中矢印ＵＰの指す向きを「上」、それと逆側の向きを「下」と呼び、椅子に正規姿勢で着座した人の左側の図中矢印ＬＨの指す向きを「左」、それと逆側の向きを「右」と呼ぶものとする。
【００１８】
最初に、図１〜図５に示す第１の実施形態について説明する。
図１は、この実施形態の椅子１の全体構成を示す側面図であり、図２は、椅子１の全体の背面図である。
これらの図に示すように、この実施形態の椅子１は、フロアＦ上に載置される脚部２と、脚部２の上端に設置されるボックス状の支基３と、着座者が着座する座体４と、支基３の上面に取り付けられ座体４を支持する座受部材５と、支基３から後部上方側に延出して座体４に着座した着座者の背中を支持する背凭れ部６と、を備えている。
脚部２は、キャスタ７ａ付きの多岐脚７と、多岐脚７の中央部より起立し昇降機構であるガススプリングを内蔵する脚柱８と、を備え、脚柱８の上端部に支基３が水平方向に回転可能に取り付けられている。支基３には、脚柱８の昇降調整機構と背凭れ部６の傾動調整機構が内蔵されている。背凭れ部６は、側面視略Ｌ字状の背凭れ支持フレーム９と、背凭れ支持フレーム９の後上部に取り付けられ座体４に着座した着座者の背部を直接支持する背凭れ本体１０と、を備え、背凭れ支持フレーム９の前部下端が支基３内の傾動調整機構に連結されている。
【００１９】
この実施形態においては、背凭れ部６が荷重支持体を構成している。
背凭れ部６の背凭れ本体１０は、骨格部を成す背面支持部材である背板１１（基体）と、背板１１の前面側に配置されるウレタン等から成るクッション材１２（図５参照）と、クッション材１２の外側面と背板１１の外周縁部にかかる部分を覆うシート状の張材１３と、背板１１の裏面側（後面側）を覆うカバー部材１４と、を備えている。この実施形態の場合、クッション材１２は、張材１３の裏面に熱溶着によって一体に接合されている。
【００２０】
図３は、背板１１を裏面側から見た図であり、図４は、カバー部材１４を取り去った背凭れ本体１０を裏面側から見た図、図５は、図４のＶ−Ｖ断面に対応する断面図である。
背板１１は、弾性を有する合成樹脂によって形成されている。背板１１は、正面視では四隅が丸みを帯びた縦長の略長方形状に形成され、その前面側で着座者の腰部から背部に亘る部位を支持し得るようになっている。背板１１は、高さ方向の下から３分の１程度の高さ位置で着座者の腰部付近を支持し、それよりも上方側の領域で着座者の背部付近を支持する。なお、以下では、背板１１のうちの着座者の腰部付近を支持する領域を「腰部支持領域１１ａ」と呼び、それよりも上方側で着座者の背部付近を支持する領域を「背部支持領域１１ｂ」と呼ぶものとする。
【００２１】
背板１１は、側面視で腰部支持領域１１ａが前方側に凸状に湾曲し、その部分が着座する着座者の腰部に最初に接触する膨出領域を構成している。また、背板１１の前面は、上下方向のほぼ全域の水平断面が後方側に凹状に湾曲する形状とされている。この背板１１の前面の凹形状は上下方向で窪み深さが変化しており、腰部支持領域１１ａの上下方向の中間部付近が最も大きく窪んでいる。また、背板１１の外周縁部は裏面側に向かって湾曲し、特に、上方側の縁部１１ｃは端末部が略水平姿勢に近づくように裏面側（後方側）に向かって大きく湾曲している。
なお、図３，図４中の符号９０は、背板１１の腰部支持領域１１ａの上下方向の略中央位置から背部支持領域１１ｂに跨る領域に、背板１１の柔軟な撓み変形を得るために形成されたスリットがある。
【００２２】
さらに、背板１１の裏面側には、背板１１の外周形状に略沿うように係止溝１５が環状に形成されている。この係止溝１５は、背板１１の裏面に突設された内側壁部１５ａと外側壁部１５ｂによって形成されている。係止溝１５は、背板１１の外周端部から中央領域側に設定距離離間した位置に設けられている。係止溝１５には、後に詳述するように背板１１を被覆した張材１３の周縁部１３ａが挿入されて係止される。係止溝１５の内側壁部１５ａの適宜ヶ所には、張材１３の周縁部１３ａの抜けを規制するための抜け止め突起１６が突設されている。この実施形態の場合、抜け止め突起１６は、係止溝１５の四隅の角部と、上辺及び下辺の略中央位置に設けられている。
また、背板１１の裏面のうちの、背板１１の左右の側辺と、その側辺に対向する外側壁部１５ｂの間の領域には、背板幅方向に延出して背板１１の側辺と外側壁部１５ｂを連結する複数の補強リブ１７が設けられている。なお、背板１１の水平断面は、腰部支持領域１１ａが最も大きく凹状に窪んでいるため、この凹形状の窪み深さに応じて腰部支持領域１１ａに配置される補強リブ１７の前後方向の突出高さが他の補強リブ１７の突出高さよりも高くなっている。
【００２３】
一方、背板１１の前面と外周縁部を覆う張材１３は、その周縁部１３ａが背板１１の外周縁部で裏面側に折り返され、その状態で周縁部１３ａが締付紐条１８によって窄められて背板１１の裏面側に固定されている。
具体的には、張材１３の周縁部１３ａには、図５に示すように、樹脂製の糸の縫い付けによって連続したリング状の挿通部１９が設けられ、その挿通部１９に締付紐条１８が通されるようになっている。そして、張材１３の周縁部１３ａを背板１１の裏面側に固定する場合には、張材１３の周縁部１３ａを背板１１の裏側に折り返し、その状態で締付紐条１８を内側のループを狭めるように締め込み、図４に示すように、締付紐条１８と張材１３の周縁部１３ａとを、係止溝１５内に入れ込んだ状態で締付紐条１８の端部同士を結束する。こうして、締付紐条１８が結束されると、張材１３の周縁部１３ａが係止溝１５内に固定され、締付紐条１８と周縁部１３ａの係止溝１５からの抜けが抜け止め突起１６によって規制される。
この結果、背板１１の前面と外周縁部を覆った張材１３は、周縁部１３ａが背板１１の裏面側に引き込まれて背板１１の前面側の張力を高められるとともに、背板１１に対する相対位置を固定される。そして、こうして張材１３が背板１１に固定されると、係止溝１５が背板１１の外周形状に略沿って形成されていることから、張材１３の周縁部１３ａは、図４に示すように、背板１１の外周形状と略相似形状をなした状態で固定される。なお、張材１３のうちの背板１１の各角部を覆う部分については、以下、「角部被覆部１３ｂ」と呼ぶものとする。
【００２４】
ところで、背板１１の裏面側を覆うカバー部材１４は、背板１１の裏面側に凹凸嵌合等の適宜手段によって固定される。この実施形態の場合、座体４の後方側から上方に立ち上がる背凭れ支持フレーム９の延出部９ａは、カバー部材１４の前面側に締結固定されている。支持フレーム９の延出部９ａの前方側は背板１１によって覆われている。この実施形態では、カバー部材１４は、背凭れ支持フレーム９とともに着座者からの入力荷重を支える強度部材として機能するため、剛性の高い合成樹脂によって形成されている。
なお、カバー部材１４は必ずしも強度部材でなくても良く、その場合には、背板１１を直接背凭れ支持フレーム９に連結すれば良い。
【００２５】
カバー部材１４は、図２に示すように、中央領域から張材１３の四隅の角部被覆部１３ｂ方向に中央側から延出して、各角部被覆部１３ｂの裏面側を覆う４つの張り出し部２０と、左側上下の張り出し部２０の間と右側上下の張り出し部２０の間にあって、上下の張り出し部２０を結ぶ仮想直線Ｌ１に対して背凭れ幅方向の内側に凹状に窪む２つの凹部２１と、を備えている。この実施形態の場合、カバー部材１４の左右の凹部２１は、背板１１の腰部支持領域１１ａの前方側に膨出する部分に対応する位置に設けられている。カバー部材１４の凹部２１は、上下の張り出し部２０に比較して幅方向内側に窪んでいるが、この凹部２１の縁部は少なくとも張材１３の周縁部１３ａの裏面側を覆うようになっている。
なお、背板１１上のカバー部材１４の凹部２１に対応する部位には、前述のように突出高さの高い補強リブ１７が配置されている。
【００２６】
以上のように、この実施形態に係る椅子１では、背板１１を被覆した張材１３の周縁部１３ａの後方側にカバー部材１４が配置され、皺や襞が生じやすい張材１３の周縁部１３ａの裏面側がカバー部材１４によって覆い隠されているため、張材１３の皺や襞が外部から見えることによる外観体裁の低下を防止することができる。特に、この椅子１においては、カバー部材１４の中央側から張材１３の四隅の角部被覆部１３ｂ方向に延出する張り出し部２０が設けられているため、皺や襞の生じやすい張材１３の角部被覆部１３ｂの広い領域を張り出し部２０によって確実に覆い隠すことができる。
【００２７】
また、この実施形態に係る椅子１では、カバー部材１４の左右の側辺に、背凭れ幅方向の内側に窪む凹部２１が設けられているため、背凭れ本体１０の左右の側辺の一部が、背板１１の裏面側にカバー部材１４の存在しない一重構造となる。このため、背凭れ本体１０の側辺に着座者から荷重が入力されたときに、前記の一重構造部分が弾性変形し易くなる。したがって、この実施形態に係る椅子１においては、張材１３の皺や襞をカバー部材１４によって覆い隠しつつ、背凭れ本体１０（背凭れ部６）の変形許容度を可及的に高めることができる。
【００２８】
この実施形態の椅子１においは、カバー部材１４の左右の側辺に凹部２１が設けられているため、着座者が上体を捩る等して着座者の背部から背凭れ本体１０の側辺に荷重が入力されたときに、着座者の背中の動きに背凭れ本体１０を柔軟に追従させることができる。
【００２９】
特に、この実施形態の場合、カバー部材１４の左右の側辺のうちの、背板１１の腰部支持領域１１ａの前方膨出部分に対応する位置に凹部２１が設けられているため、着座者の背中の動きに応じて速いタイミングで背凭れ本体１０を追従変形させることができる。また、この場合、背凭れ本体１０の着座者の腰部や腹部の側面に接触する部分が柔軟に変形することから、着座者の腰部や腹部の側面側の圧迫感を小さくすることができる。
【００３０】
また、この実施形態の椅子１においては、背板１１におけるカバー部材１４の凹部２１に対応する部位に、突出高さの高い補強リブ１７が設けられているため、裏面側がカバー部材１４によって支持されない背板１１上の凹部２１に対応する部位の急激な剛性低下を抑制することができる。したがって、背板１１の側辺の耐久性を高めることができる。
【００３１】
つづいて、図６，図７に示す第２の実施形態について説明する。
この第２の実施形態は、基本的な構成は第１の実施形態と同様であるが、背凭れ本体１０にランバーサポート装置３０が組み込まれている点が大きく異なっている。
【００３２】
図６は、この実施形態の椅子１０１の全体構成を示す側面図であり、図７（Ａ）は、背凭れ本体１０をランバーサポート装置３０部分で切断した断面を示す図、図７（Ｂ）は、ランバーサポート装置３０の押圧カム部３３の側面を示す図である。
ランバーサポート装置３０は、背凭れ本体１０の幅方向に沿って延出する軸部３１と、軸部３１の延出方向の両端部に設けられた操作部３２と、軸部３１上の二ヵ所に偏心して設けられた円板状の押圧カム部３３と、を備え、軸部３１がカバー部材１１４の前面に回動可能に支持されている。ランバーサポート装置３０は、背板１１の前方側に膨出する腰部支持領域１１ａとカバー部材１４の間に設けられており、軸部３１の両側に突出する操作部３２は、カバー部材１４の両側の側辺の凹部２１から外側に突出している。なお、押圧カム部３３は、背板１１の腰部支持領域１１ａの背面側に配置されている。このため、操作部３２によって押圧カム部３３を回動させることにより、腰部支持領域１１ａに対する押圧高さを調整することができる。
【００３３】
この実施形態の椅子１０１は、第１の実施形態と同様の基本的な効果を得ることができるうえ、背板１１の前方側に膨出する腰部支持領域１１ａとカバー部材１４の間にランバーサポート装置３０が設けられ、カバー部材１４の左右の側辺の凹部２１にランバーサポート装置３０の操作部３２が配置されることから、ランバーサポート装置３０の操作部３２を操作のし易い位置に容易に設置することができる。また、この実施形態の椅子１０１の場合、ランバーサポート装置３０の両側の操作部３２の背面側にカバー部材１４が存在しないことから、背板１１の腰部支持領域１１ａの側方部の剛性が過剰に高まるのを抑制することができる。
【００３４】
図８は、第３の実施形態に係る椅子２０１の背面を示す図である。
この実施形態の椅子２０１は、カバー部材２１４の左右の側辺に加えて、カバー部材２１４の上辺の略中央にも同様の凹部２２１設けられている。この上辺の凹部２２１は、上辺左右の張り出し部２０を結ぶ仮想直線Ｌ２に対して背凭れ本体１０の下方側に凹状に窪むように形成されている。なお、この実施形態の場合も、背板（背面支持部材）上の、カバー部材２１４の凹部２２１に対応する部位に、補強リブ等の補強部を設けるようにしても良い。
【００３５】
この実施形態の椅子２０１においては、皺や襞の生じやすい張材１３の角部被覆部１３ｂをカバー部材１４の張り出し部２０によって確実に覆い隠しつつ、カバー部材２１４の左右の側辺に設けられる凹部２１によって着座者の背中の様々な動きに背凭れ本体１０の側縁部を柔軟に追従させることができ、さらに、着座者が後方側に反り返った場合にも、その反り返り動作に応じて背凭れ本体１０の上縁部を柔軟に追従させることができる。
【００３６】
なお、この発明は上記の実施形態に限定されるものではなく、その要旨を逸脱しない範囲で種々の設計変更が可能である。例えば、上記の第３の実施形態においては、カバー部材の左右の側辺と上辺とに凹部を設けたが、カバー部材の上辺のみに凹部を設けることも可能である。また、上記の各実施形態は、背凭れ部が荷重支持体である実施形態であるが、荷重支持体は座体であっても良い。
また、上記の実施形態においては、張材の周縁部を、基体（背面支持部材，背板）の裏面側で締付紐条によって締め込んで基体に固定しているが、張材の周縁部は、周縁部に剛性のある縁材を取り付けてその縁材を基体側の溝に嵌合するようにしたり、タッカー等によって基体の裏面に直接結合するようにしたりしても良い。さらに、基体は必ずしも板状構造のものに限らず、枠状のものであっても良い。
【符号の説明】
【００３７】
６  背凭れ部（荷重支持体）
１１  背板（基体，背面支持部材）
１２  クッション材
１３  張材
１３ｂ  角部被覆部
１４，１１４，２１４  カバー部材
１７  補強リブ（補強部）
２０  張り出し部
２１，２２１  凹部
３０  ランバーサポート装置
Ｌ１，Ｌ２  仮想直線
【図１】
2015077338.tif 000003
【図２】
2015077338.tif 000004
【図３】
2015077338.tif 000005
【図４】
2015077338.tif 000006
【図５】
2015077338.tif 000007
【図６】
2015077338.tif 000008
【図７】
2015077338.tif 000009
【図８】
2015077338.tif 000010